(57)【要約】【課題】構造が比較的簡単であるとともに、遊技球が落下する経路を広く確保することにより、より面白みのあるパチンコ遊技を提供することができるとともに、遊技盤上に設けられた機器や装置によって表示領域が制限されることなく、長時間にわたって遊技を楽しむことが可能な遊技機を提供すること。【解決手段】窓部に液晶パネル等からなる表示部を備え、上記表示部には、バックライトによる光が供給されるように構成され、遊技盤の全部又は一部には粗面が形成されていることを特徴とする遊技機。【選択図】　　　図２
2004135794.tif 000002
【特許請求の範囲】
【請求項１】
遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に貼着されたプラスチック液晶又は液晶パネルからなる表示部と、前記窓枠の近傍に設置されたバックライト光源とを備え、さらに、
前記バックライト光源からの光を反射するため、前記遊技盤の全部又は一部に粗面が形成されていることを特徴とする遊技機。
【請求項２】
遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に貼着されたプラスチック液晶又は液晶パネルからなる表示部と、前記遊技盤の裏側に設置されたバックライト光源とを備え、
前記バックライト光源からの光を透過するため、前記遊技盤は光が透過可能な材料により構成され、かつ、その全部又は一部に粗面が形成されていることを特徴とする遊技機。
【請求項３】
遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部を構成する２枚の透明板の間に挟持されたプラスチック液晶又は液晶パネルからなる表示部と、前記窓枠の近傍に設置されたバックライト光源とを備え、さらに、
前記バックライト光源からの光を反射するため、前記遊技盤の全部又は一部に粗面が形成されていることを特徴とする遊技機。
【請求項４】
遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部を構成する２枚の透明板の間に挟持されたプラスチック液晶又は液晶パネルからなる表示部と、前記遊技盤の裏側に設置されたバックライト光源とを備え、
前記バックライト光源からの光を透過するため、前記遊技盤は光が透過可能な材料により構成され、かつ、その全部又は一部に粗面が形成されていることを特徴とする遊技機。
【請求項５】
遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に設けられた該窓部を構成する２枚の透明板の一部を基板とする液晶パネルからなる表示部と、前記窓枠の近傍に設置されたバックライト光源とを備え、さらに、
前記バックライト光源からの光を反射するため、前記遊技盤の全部又は一部に粗面が形成されていることを特徴とする遊技機。
【請求項６】
遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に設けられた該窓部を構成する２枚の透明板の一部を基板とする液晶パネルからなる表示部と、前記遊技盤の裏側に設置されたバックライト光源とを備え、
前記バックライト光源からの光を透過するため、前記遊技盤は光が透過可能な材料により構成され、かつ、その全部又は一部に粗面が形成されていることを特徴とする遊技機。
【請求項７】
遊技状況に応じて、バックライトによる光の強さが変化する請求項１〜６のいずれか１に記載の遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
従来から、遊技盤上に遊技球を打ち出して遊技を行う遊技機として、パチンコ遊技装置が知られている。このようなパチンコ遊技装置では、発射ハンドルが操作されることにより遊技球が遊技盤上に打ち出され、遊技球が遊技盤上に植設された障害釘に衝突しながら落下する。そして、この遊技球が上記遊技盤に設けられた入賞口に入ると、予め定められた数の遊技球が払い出される。
【０００３】
また、遊技球が遊技盤に設けられた始動口に入ると、表示装置で表示されていた固定画面を、一定の物語性を有する動画等が表示される通常画面へと切り替え、いわゆる可変表示ゲームを開始する。この可変表示ゲームは、スロットマシンにおいてなされる遊技を模したゲームであり、複数の変動図柄を当該表示装置に表示し、その各々を変動表示させた後、所定のタイミングでこれらの図柄が順次停止するように表示し、全ての図柄の停止表示が確定したときの図柄の組み合わせが大当たりとなる図柄の組み合わせとなったときに、大当たり状態が発生したとして、例えば、所定の数の遊技球を払い出す等、遊技者に所定の利益及び／又は有利な状態を提供するゲームである。
【０００４】
最近では、可変表示ゲームを盛り上げる演出を行ったり、大当たり状態が発生したことを強く印象付けて興奮を高めたりするため、表示装置に表示される演出画像に、例えば、劇画の主人公やそれに関係する人物を登場させたり、プロレスや相撲の人物を登場させる等、この表示装置内で展開される物語やキャラクタ等も様々なものが出現している。また、臨場感のある大胆な演出を行うため、演出画像の表示領域を大きくしたり、演出画像が表示される表示装置自体を大きくしたりするということも行われており、演出画像の重要性は益々高まっているといえる。
【０００５】
ところが、演出画像の表示領域を大きくするために、表示装置自体を大きくすると、遊技盤上において、障害釘が植設される領域が小さくなり、遊技球が落下する経路が限られてしまうことになるため、遊技球の動きが単調になり、パチンコ遊技自体の面白みが失われてしまうという問題があった。
【０００６】
このように、遊技盤上に設けられた機器や装置によって、演出が制限されてしまうという問題を解消するためのパチンコ遊技装置として、液晶シートを張り付けたガラス板が遊技盤の前面に設けられたパチンコ遊技装置であって、液晶シートに印加する電圧を制御することにより、当該液晶シートを透明又は不透明にするとともに、その背面から液晶シートに向けて、光ファイバやカラーフィルタ等を介して着色光を照射したり、遊技盤にマトリックス状に配置された発光ダイオード（以下、ＬＥＤという）により着色光を照射したりすることにより、液晶シートに演出画像を表示させるパチンコ遊技装置がある（例えば、特許文献１参照）。このようなパチンコ遊技装置によれば、遊技盤の前面に設けられたガラス板を充分に活用して演出を行うことができ、遊技盤上に設けられた機器や装置によって表示領域が制限されずに大胆な演出を行うことが可能である。
【特許文献１】
特開平５−８４３４７号公報（第１−７頁）
【０００７】
【発明が解決しようとする課題】
しかしながら、光ファイバやカラーフィルタを介して液晶シートに着色光を照射するパチンコ遊技装置では、着色光の色の種類を多くするためには、装置自体の構造が複雑化してしまうという問題があった。一方、着色光の色の種類を減らした場合には、演出自体が単調で稚拙なものにならざるを得ず、遊技盤の前面に設けられたガラス板を充分に活用して大胆な演出を行う意味が没却されてしまうという問題もあった。
【０００８】
また、マトリックス状に配置されたＬＥＤにより着色光を照射するパチンコ遊技装置についても、遊技盤上に多数のＬＥＤを配置するため、その構造が複雑になるという問題があった。また、遊技盤上のＬＥＤを配置した箇所には障害釘を設けることができず、結局、障害釘が植設される領域が小さくなり、遊技球の動きが単調になってしまうという問題を充分に解決することができなかった。
【０００９】
本発明は、上述した問題に鑑みてなされたものであり、その目的は、その構造が比較的簡単であるとともに、遊技球が落下する経路を広く確保することにより、より面白みのあるパチンコ遊技を提供することができるとともに、遊技盤上に設けられた機器や装置によって表示領域が制限されることなく、長時間にわたって遊技を楽しむことが可能な遊技機を提供することにある。
【００１０】
【課題を解決するための手段】
以上のような目的を達成するために、本発明は、窓部に液晶パネル等からなる表示部を備え、上記表示部には、バックライト光源による光が供給されるように構成され、遊技盤の全部又は一部には粗面が形成されていることを特徴とする遊技機を提供する。
【００１１】
より具体的には、本発明は、以下のようなものを提供する。
（１）遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に貼着されたプラスチック液晶又は液晶パネルからなる表示部と、前記窓枠の近傍に設置されたバックライト光源とを備え、さらに、
前記バックライト光源からの光を反射するため、前記遊技盤の全部又は一部に粗面が形成されていることを特徴とする。
【００１２】
（１）の発明によれば、窓部にプラスチック液晶又は液晶パネルが貼着されており、このプラスチック液晶又は液晶パネルを表示部とすることができるため、遊技球が落下する経路を広く確保することができる。その結果、表示装置が遊技盤上に設けられた従来の遊技機と比べて、遊技球の落下経路に多様性を持たせることができ、より面白みがあるパチンコ遊技を提供することができる。
また、窓部に設けられた表示部により演出画面や変動図柄等を表示させることも可能であるため、窓を通さず、直接、遊技者の目に近いところで、演出画像等が表示されることになり、遊技者は迫力のある画像を楽しむことができる。
【００１３】
また、窓枠の近傍にバックライト光源が設置され、遊技盤には粗面が形成されているため、バックライト光源から発せられ、遊技盤上で反射した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【００１４】
（２）遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に貼着されたプラスチック液晶又は液晶パネルからなる表示部と、前記遊技盤の裏側に設置されたバックライト光源とを備え、
前記バックライト光源からの光を透過するため、前記遊技盤は光が透過可能な材料により構成され、かつ、その全部又は一部に粗面が形成されていることを特徴とする。
【００１５】
（２）の発明によれば、窓部にプラスチック液晶又は液晶パネルが貼着されており、このプラスチック液晶又は液晶パネルを表示部とすることができるため、遊技球が落下する経路を広く確保することができる。その結果、表示装置が遊技盤上に設けられた従来の遊技機と比べて、遊技球の落下経路に多様性を持たせることができ、より面白みがあるパチンコ遊技を提供することができる。
また、窓部に設けられた表示部により演出画面や変動図柄等を表示させることも可能であるため、窓を通さず、直接、遊技者の目に近いところで、演出画像等が表示されることになり、遊技者は迫力のある画像を楽しむことができる。
【００１６】
また、光が透過可能な材料により構成された遊技盤の裏側に、バックライト光源が設置されており、遊技盤には粗面が形成されているため、バックライトから発せられ、遊技盤を通過した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【００１７】
さらに、本発明は、以下のようなものを提供する。
（３）遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部を構成する２枚の透明板の間に挟持されたプラスチック液晶又は液晶パネルからなる表示部と、前記窓枠の近傍に設置されたバックライト光源とを備え、さらに、
前記バックライト光源からの光を反射するため、前記遊技盤の全部又は一部に粗面が形成されていることを特徴とする。
【００１８】
（３）の発明によれば、窓部を構成する２枚の透明板の間に、プラスチック液晶又は液晶パネルが挟持されており、このプラスチック液晶又は液晶パネルを表示部とすることができるため、遊技球が落下する経路を広く確保することができる。その結果、表示装置が遊技盤上に設けられた従来の遊技機と比べて、遊技球の落下経路に多様性を持たせることができ、より面白みがあるパチンコ遊技を提供することができる。
また、窓部に設けられた表示部により演出画面や変動図柄等を表示させることも可能であるため、窓を通さず、直接、遊技者の目に近いところで、演出画像等が表示されることになり、遊技者は迫力のある画像を楽しむことができる。
【００１９】
また、窓枠の近傍にバックライト光源が設置され、遊技盤には粗面が形成されているため、バックライト光源から発せられ、遊技盤上で反射した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【００２０】
（４）遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部を構成する２枚の透明板の間に挟持されたプラスチック液晶又は液晶パネルからなる表示部と、前記遊技盤の裏側に設置されたバックライト光源とを備え、
前記バックライト光源からの光を透過するため、前記遊技盤は光が透過可能な材料により構成され、かつ、その全部又は一部に粗面が形成されていることを特徴とする。
【００２１】
（４）の発明によれば、窓部を構成する２枚の透明板の間に、プラスチック液晶又は液晶パネルが挟持されており、このプラスチック液晶又は液晶パネルを表示部とすることができるため、遊技球が落下する経路を広く確保することができる。その結果、表示装置が遊技盤上に設けられた従来の遊技機と比べて、遊技球の落下経路に多様性を持たせることができ、より面白みがあるパチンコ遊技を提供することができる。
また、窓部に設けられた表示部により演出画面や変動図柄等を表示させることも可能であるため、窓を通さず、直接、遊技者の目に近いところで、演出画像等が表示されることになり、遊技者は迫力のある画像を楽しむことができる。
【００２２】
また、光が透過可能な材料により構成された遊技盤の裏側に、バックライト光源が設置されており、遊技盤には粗面が形成されているため、バックライトから発せられ、遊技盤を通過した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【００２３】
（５）遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に設けられた該窓部を構成する２枚の透明板の一部を基板とする液晶パネルからなる表示部と、前記窓枠の近傍に設置されたバックライト光源とを備え、さらに、
前記バックライト光源からの光を反射するため、前記遊技盤の全部又は一部に粗面が形成されていることを特徴とする。
【００２４】
（５）の発明によれば、窓部を構成する２枚の透明板の一部を基板とする液晶パネルが設けられ、この液晶パネルを表示部とすることができるため、遊技球が落下する経路を広く確保することができる。その結果、表示装置が遊技盤上に設けられた従来の遊技機と比べて、遊技球の落下経路に多様性を持たせることができ、より面白みがあるパチンコ遊技を提供することができる。
また、窓部に設けられた表示部により演出画面や変動図柄等を表示させることも可能であるため、窓を通さず、直接、遊技者の目に近いところで、演出画像等が表示されることになり、遊技者は迫力のある画像を楽しむことができる。
【００２５】
また、窓枠の近傍にバックライト光源が設置され、遊技盤には粗面が形成されているため、バックライト光源から発せられ、遊技盤上で反射した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【００２６】
（６）遊技球が入ることにより所定数の遊技球の払い出しが行われる入賞口が少なくとも１個設けられた遊技盤と、前記遊技盤が嵌め込まれた本体枠に開閉可能に支持された窓枠と、前記窓枠に嵌め込まれた透過性の窓部とを備えた遊技機であって、
前記窓部に設けられた該窓部を構成する２枚の透明板の一部を基板とする液晶パネルからなる表示部と、前記遊技盤の裏側に設置されたバックライト光源とを備え、
前記バックライト光源からの光を透過するため、前記遊技盤は光が透過可能な材料により構成され、かつ、その全部又は一部に粗面が形成されていることを特徴とする。
【００２７】
（６）の発明によれば、窓部を構成する２枚の透明板の一部を基板とする液晶パネルが設けられ、この液晶パネルを表示部とすることができるため、遊技球が落下する経路を広く確保することができる。その結果、表示装置が遊技盤上に設けられた従来の遊技機と比べて、遊技球の落下経路に多様性を持たせることができ、より面白みがあるパチンコ遊技を提供することができる。
また、窓部に設けられた表示部により演出画面や変動図柄等を表示させることも可能であるため、窓を通さず、直接、遊技者の目に近いところで、演出画像等が表示されることになり、遊技者は迫力のある画像を楽しむことができる。
【００２８】
また、光が透過可能な材料により構成された遊技盤の裏側に、バックライト光源が設置されており、遊技盤には粗面が形成されているため、バックライトから発せられ、遊技盤を通過した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【００２９】
（７）　上記（１）〜（６）のいずれか１に記載の遊技機であって、
遊技状況に応じて、バックライトによる光の強さが変化することを特徴とする。
【００３０】
（７）の発明によれば、例えば、大当たり状態が発生したときや、リーチ状態が発生したとき、バックライトにより光を強く照射して、表示部に表示される各種の画像をより明るく鮮明に表示させるというように、遊技状況に応じて、バックライトによる光の強さを変化させることができるため、従来の遊技機のように、遊技状況の変化を、表示部において表示される画像により認識させるだけではなく、遊技状況の変化を表示部の明るさにより視認させることが可能となる。その結果、大当たり状態やリーチ状態等が発生したこと等を感覚的にも認識させることができ、遊技者の遊技に対する興味や関心を高めることが可能になる。
【００３１】
［用語の定義等］
「ヒンジ部」とは、窓枠を開閉可能に支持する蝶番を意味する。
「表示部」とは、種々の文字や画像等が表示される部分をいい、例えば、静画像や動画像等からなる演出画像や複数の変動図柄の変動表示が開始されてから、複数の変動図柄が停止表示されるまでを１回のゲームとする可変表示ゲームを示す画面画像等が表示されることとしてもよく、ほかの種々の情報を表示することとしてもよい。
【００３２】
「変動表示」とは、識別情報が順次変化する場合、例えば、１つの識別情報である図柄「７」から他の識別情報である図柄「８」へ変化する場合や、図柄「９」から他の図柄「☆」へ変化する場合のほか、識別情報を表示し得る表示領域において１つの識別情報が表示されたままその識別情報が移動して表示されるような場合、例えば、１つの図柄「７」が表示領域内において表示されつつ移動する場合等を含む概念である。
なお、上記識別情報とは、文字、記号、絵柄又は模様等の視覚によって識別可能な情報をいう。
【００３３】
「透過性の窓部」とは、窓枠に嵌め込まれ、遊技盤に描かれた絵模様や文字等を明確に視認することができる程度に、光を透過させることが可能な材料で構成されたものをいい、上記窓部を構成する材料は、ガラスであってもよく、樹脂であってもよい。
【００３４】
「液晶パネル」とは、液晶層、その両面に設けられた配向膜、透明電極、カラーフィルタ等（以下、液晶層等ともいう）が２枚のガラス基板により挟持されるとともに、２枚のガラス基板の外面に偏光板等が設けられたものであって、画像を表示することが可能であるものをいう。
本発明の遊技機において用いられる液晶パネルとしては、特に限定されるものではなく、従来公知の液晶パネルを用いることが可能である。
上述した液晶パネルについて、図面を用いて説明する。
【００３５】
図１（ａ）は、窓部に貼着された液晶パネルの一例を模式的に示した断面図である。
窓部２１１には、接着剤層２１１ａを介して、液晶パネル２１０が貼着されている。なお、液晶パネル２１０には、アクティブマトリックス液晶ディスプレイ（ＬＣＤ）が用いられている。
この液晶パネル２１０の中央部分には液晶２１６とスペーサ２１５とが配置され、この液晶２１６スペーサ２１５とを挟むように、その両側に配向膜２１７が配置されている。また、液晶２１６とスペーサ２１５とを保持するために、その周囲にはシール材２６０が設けられている。
窓部２１１に近い配向膜２１７の外側には、透明画素電極２１９ｂが配置され、その外側がガラス基板２１３となり、さらに、その外側には偏光板２１２が配置されている。
一方、窓部２１１より遠い配向膜２１７の外側には、順次、透明電極２１９ａ、カラーフィルタ２１８（ブラックマトリックス２１４）が配置され、その外側がガラス基板２１３となっており、さらに最外層に偏光板２１２が配置されている。
【００３６】
図１（ｂ）は、窓部を構成する２枚の透明板の間に挟持された液晶パネルの一例を模式的に示した断面図である。上述した図１（ａ）に示した構成要素と対応する構成要素には同一の符号を付した。
窓部を構成する２枚の透明板３１０の間には、接着剤層２１１ａを介して、液晶パネル２１０が挟持されている。
この液晶パネル２１０の中央部分には、液晶２１６とスペーサ２１５とが配置され、この液晶２１６スペーサ２１５とを挟むように、その両側に配向膜２１７が配置されている。また、液晶２１６とスペーサ２１５とを保持するために、その周囲にはシール材２６０が設けられている。奥側（図中、右側）の配向膜２１７の外側には、透明画素電極２１９ｂが配置され、その外側がガラス基板２１３となり、さらに、その外側には偏光板２１２が配置されている。この偏光板２１２の外面が、接着剤層２１１ａを介して、透明板３１０に接着されている。
一方、手前側（図中、左側）の配向膜２１７の外側には、順次、透明電極２１９ａ、カラーフィルタ２１８（ブラックマトリックス２１４）が配置され、その外側がガラス基板２１３となっており、さらに最外層に偏光板２１２が配置されている。この偏光板２１２の外面が、接着剤層２１１ａを介して、透明板３１０に接着されている。
【００３７】
図１（ｃ）は、窓部を構成する２枚の透明板の一部を基板とする液晶パネルを模式的に示す断面図である。上述した図１（ａ）及び（ｂ）に示した構成要素と対応する構成要素には同一の符号を付した。
窓部を構成する２枚の透明板３１０の間には、液晶を内部に保持する層が設けられる。この液晶を内部に保持する層は、液晶２１６とスペーサ２１５とからなる層であり、さらに、この液晶２１６とスペーサ２１５とを保持するために、その周囲にはシール材２６０が設けられている。一の配向膜２１７の外側には、透明画素電極２１９ｂが配置され、その外側が透明板３１０となっている。また、透明板３１０の外側には偏光板２１２が配置されている。一方、他の配向膜２１７の外側には、順次、透明電極２１９ａ、カラーフィルタ２１８（ブラックマトリックス２１４）が配置され、その外側が透明板３１０となっている。また、透明板３１０の外側には偏光板２１２が配置されている。
従って、全体として、窓部を構成する２枚の透明板３１０の一部を基板とする液晶パネル２１０が、窓部に設けられていることになる。
【００３８】
また、「プラスチック液晶」とは、上述したように、液晶パネルにおいて、液晶層等がガラス基板ではなく、プラスチック基板により挟持されたものをいう。
本発明の遊技機において用いられるプラスチック液晶としては、特に限定されるものではなく、従来公知のプラスチック液晶を用いることが可能である。
なお、以下においては、液晶パネルとプラスチック液晶とあわせて、液晶パネル等ともいうこととする。
【００３９】
「バックライト光源」とは、液晶パネル等より背面に設置される光源をいうが、光を発するもの（例えば、蛍光ランプ等）自体が液晶パネル等の背面に設置される必要はない。
例えば、蛍光ランプから発せられる光が、液晶パネル等の背面に設置された導光体に入射し、当該導光体から液晶パネル等の裏面へ向けて光が照射されるように構成されている遊技機において、蛍光ランプ自体は液晶パネル等の背面に設置されてはいないが、蛍光ランプ及び導光体により、液晶パネル等の裏面へ光を照射することが可能である。この場合、蛍光ランプ及び導光体が、当該遊技機におけるバックライト光源である。
【００４０】
また、「遊技盤の裏側にバックライト光源が設置される」とは、遊技盤表面より裏側にバックライト光源が設置されることをいう。従って、例えば、遊技盤の一部に開口が形成され、当該開口にバックライト光源が嵌め込まれているとき、遊技盤の裏側にバックライト光源が設置されているということになる。
また、「遊技盤は光が透過可能な材料により構成され」とは、遊技盤の全部が、光が透過可能な材料により構成されている必要はなく、バックライト光源からの光を透過させることが可能であれば、遊技盤の一部のみが、光が透過可能な材料により構成されていてもよいことをいうものである。
【００４１】
本発明の遊技機は、図１（ａ）〜（ｃ）に示したような液晶パネル等に、バックライト光源による光が供給されるように構成されている。
以下、本発明に係るパチンコ遊技装置のバックライトの構造について、図２を用いて説明する。
【００４２】
図２（ａ）は、本発明の遊技機の一例を模式的に示す部分水平断面図である。
パチンコ遊技装置６１０に設けられた遊技盤６１４は、白色系の色彩を有するとともに、その表面には粗面６１４ａが形成されており、遊技盤６１４上には、樹脂製のほぼ透明なガイドレール６３０が垂設されている。
【００４３】
この遊技盤６１４の前面には、遊技盤６１４と対向するように、窓枠６１６が設けられており、窓枠６１６には、２枚のガラス製の透明板が嵌め込まれて窓部６１２が構成されている。これらの透明板の間に、液晶パネル６３２が設けられており、さらに、その一端が液晶パネル６３２に接続されるとともに他端が窓枠６１６まで延設された透明電極６１７が形成されている。
【００４４】
図中には示していないが、透明電極６１７の他端は、窓枠６１６内に設けられたフレキシブルケーブル等の配線に接続され、上記配線は、遊技機内に備えられた制御回路と接続されており、液晶パネル６３２へ各種の信号や電力が供給されるように構成されている。
【００４５】
遊技盤６１４と窓枠６１６との間には、冷陰極蛍光管６４０とルーバー６４１とが設けられており、遊技盤６１４上へ向けて光を照射することができるように構成されている。図中、冷陰極蛍光管６４０から照射される光は、二点鎖線の矢印により示している。
【００４６】
冷陰極蛍光管６４０から照射された光の一部は、直接、窓部６１２や液晶パネル６３２の裏面に到達する。また、冷陰極蛍光管６４０から照射された光の他の一部は、ほぼ透明なガイドレール６３０を透過して、遊技盤６１４上へ至り、遊技盤６１４によって反射した後、液晶パネル６３２の裏面に到達する。上述したように、遊技盤６１４は白色系の色彩を有しているため、効率よく光を反射することが可能である。また、遊技盤６１４には粗面６１４ａが形成されているため、遊技盤６１４に照射された光をほぼ均一化して、液晶パネル６３２に供給させることが可能である。
【００４７】
図２（ａ）に示すパチンコ遊技装置６１０においては、冷陰極蛍光管６４０、ルーバー６４１及び遊技盤６１４により、バックライトが構成されており、液晶パネル６３２には、バックライトによる光が供給される。従って、液晶パネル６３２に表示される各種の画像を明るく鮮明に表示させ、遊技を盛り上げる各種の演出画像や変動図柄等を華やかに見せることが可能である。
【００４８】
図２（ｂ）は、本発明の遊技機の他の一例を模式的に示す部分水平断面図である。上述した図２（ａ）に示した構成要素と対応する構成要素には同一の符号を付した。
パチンコ遊技装置６１０に設けられた遊技盤６１４は、白色系の色彩を有するとともに、その表面には粗面６１４ａが形成されており、遊技盤６１４上には、金属製のガイドレール６３０が垂設されている。
【００４９】
この遊技盤６１４の前面には、遊技盤６１４と対向するように、窓枠６１６が設けられており、窓枠６１６には、２枚のガラス製の透明板が嵌め込まれて窓部６１２が構成され、２枚のガラス製の透明板の間には、液晶パネル６３２が設けられ、透明電極６１７が形成されている。なお、これらの構成については、図２（ａ）と同様であり、既に説明済であるので、ここでの説明は省略する。
【００５０】
また、遊技盤６１４には、複数の貫通孔６５２が形成されており、それぞれの貫通孔６５２の内部には、発光ダイオード６５０が設置され、貫通孔６５２には、発光ダイオード６５０を遊技球から保護するように、透明保護板６５１が嵌め込まれている。複数の発光ダイオード６５０から照射される光（図中、二点鎖線の矢印により示す）は、直接、液晶パネル６３２の裏面に到達する。
【００５１】
図２（ｂ）に示すパチンコ遊技装置６１０においては、発光ダイオード６５０により、バックライトが構成されており、液晶パネル６３２には、バックライトによる光が供給される。従って、液晶パネル６３２に表示される各種の画像を明るく鮮明に表示させ、遊技を盛り上げる各種の演出画像や変動図柄等を華やかに見せることが可能である。
【００５２】
図２（ｃ）は、本発明の遊技機のさらに他の一例を模式的に示す部分水平断面図である。上述した図２（ａ）及び（ｂ）に示した構成要素と対応する構成要素には同一の符号を付した。
パチンコ遊技装置６１０に設けられた遊技盤６１４は、白色系の色彩を有するとともに、その表面には粗面６１４ａが形成されており、遊技盤６１４上には、金属製のガイドレール６３０が垂設されている。
【００５３】
この遊技盤６１４の前面には、遊技盤６１４と対向するように、窓枠６１６が設けられており、窓枠６１６には、２枚のガラス製の透明板が嵌め込まれて窓部６１２が構成され、２枚のガラス製の透明板の間には、液晶パネル６３２が設けられ、透明電極６１７が形成されている。なお、これらの構成については、図２（ａ）と同様であり、既に説明済であるので、ここでの説明は省略する。
【００５４】
また、遊技盤６１４のほぼ中央部分には、導光体６６３が設けられており、導光体６６３の裏面（図中、下面）には、反射シート６６４が設けられ、導光体６６３の表面（図中、上面）には、その上面に粗面６６５ａが形成された拡散シート６６５が設けられている。遊技盤６１４には、導光体６６３の側面に沿うように、溝６６２が形成されており、溝６６２内には、冷陰極蛍光管６６１が設置されている。溝６６２の壁面はルーバーとして機能するように構成されており、冷陰極蛍光管６６１から発せられる光を、導光体６６３側へ向けて効率よく照射することが可能である。冷陰極蛍光管６４０から導光体６６３に入射された光は、導光体６６３の裏面に設けられた反射シート６６４と、導光体６６３の表面に設けられた拡散シート６６５とによって、ほぼ均一な面状の光となって、液晶パネル６３２に供給される。
【００５５】
図２（ｃ）に示すパチンコ遊技装置６１０においては、冷陰極蛍光管６６１、導光体６６４、反射シート６６３及び拡散シート６６５により、バックライトが構成されており、液晶パネル６３２には、バックライトによる光が供給される。
従って、液晶パネル６３２に表示される各種の画像を明るく鮮明に表示させ、遊技を盛り上げる各種の演出画像や変動図柄等を華やかに見せることが可能である。
【００５６】
本発明の遊技機に用いられるバックライトの構造としては、図２（ａ）〜（ｃ）に示した例に限定されるものではない。例えば、冷陰極平板型蛍光ランプや、エレクトロルミネセンス等を、遊技盤に嵌め込んでバックライト光源としてもよく、また、図２（ａ）のバックライト構造と、図２（ｂ）のバックライト構造とを組み合わせて使用することとしてもよい。
【００５７】
次に、遊技盤に形成される粗面について、説明することにする。
本発明の遊技機に備えられる遊技盤では、バックライト光源を構成する光源（例えば、冷陰極蛍光管や発光ダイオード等）から発せられ、遊技盤上で反射したか、又は、遊技盤を通過した光が、表示部に供給されることになる。
【００５８】
例えば、不透光性の遊技盤を備え、遊技盤上の周縁部分に、バックライトとして機能する光源が設けられた遊技機においては、上記遊技盤上に粗面が形成されているため、光源から発せられた光は、遊技盤上で反射した後、表示部の裏面に供給される。このとき、当該遊技盤には粗面が形成されているため、光を遊技盤上で散乱するように反射させることができ、光を均一化して表示部に供給させることができる。
【００５９】
また、透明な遊技盤を備え、遊技盤の裏側に、バックライトとして機能する光源が設けられた遊技機においては、上記遊技盤上に粗面が形成されているため、光源から発せられた光は、遊技盤を透過した後、表示部の裏面に供給される。このとき、当該遊技盤には粗面が形成されているため、光を透過させる際に散乱させることができ、光を均一化して表示部に供給させることができる。なお、このような遊技機においては、必ずしも、遊技盤の表面に粗面が形成されている必要はなく、遊技盤の裏面に粗面が形成されていてもよい。
【００６０】
また、図２（ｃ）では、遊技盤の一部に、導光体、反射シート及び拡散シートが嵌め込まれ、拡散シートに粗面が形成されているが、本発明においては、遊技盤自体に粗面が形成されていなくても、粗面が形成されたものが遊技盤に設けられていれば、本発明の遊技機に該当する。従って、例えば、遊技盤上に、粗面を有するフィルムが設けられた遊技機も、本発明の遊技機に該当する。
【００６１】
粗面が形成される領域は、特に限定されるものではないが、少なくとも表示部の背面に位置する領域に粗面が形成されていることが望ましく、表示部の背面に位置する領域及び当該領域の周辺に粗面が形成されていることがより望ましい。
遊技盤上で反射するか、又は、遊技盤を透過して表示部の裏面に到達する光を、確実に均一化することができるため、表示部に表示される各種の画像をより明るく鮮明に表示させ、遊技を盛り上げる各種の演出画像や変動図柄等をより華やかに見せることが可能になるからである。
【００６２】
また、上記遊技盤には粗面が形成されるのであるが、当該粗面に代えて、プリズム加工が施された基板等を遊技盤として使用することとしてもよい。また、プリズム加工が施されたシート等を遊技盤に設けることとしてもよい。
【００６３】
また、本発明の遊技機においては、遊技盤は白色系の色彩を有していることが望ましい。遊技盤に照射された光を効率よく反射して、表示部の裏面に供給することができるため、表示部に表示される各種の画像をより明るく鮮明に表示させ、遊技を盛り上げる各種の演出画像や変動図柄等をより華やかに見せることが可能になるからである。
「白色系の色彩」とは、遊技盤へ照射された光を、窓部に設けられた表示部の裏面へ効率よく反射させ得る程度の色彩をいい、例えば、白色やクリーム色等を挙げることができる。上記白色系の色彩としては、具体的には、マンセルシステムにおいて、明度が８以上であるととともに、彩度が４以下である色彩が望ましい。
【００６４】
また、本発明の遊技機においては、バックライトによる光の強さが変化することが望ましい。遊技状況に応じて、バックライトによる光の強さを変化させることができるため、従来の遊技機のように、遊技状況の変化を、表示部において表示される画像により認識させるだけではなく、遊技状況の変化を表示部の明るさにより視認させることが可能となる。その結果、大当たり状態やリーチ状態等が発生したこと等を感覚的にも認識させることができ、遊技者の遊技に対する興味や関心を高めることが可能になる。
【００６５】
バックライトによる光の強さを変化させる方法としては、例えば、大当たり状態やリーチ状態が発生したとき、バックライトとして機能する蛍光ランプ等に供給する電力を増加させ、上記蛍光ランプから発せられる光の強度を高める方法や、複数の蛍光ランプを設けておき、大当たり状態やリーチ状態が発生していない通常状態においては、１個の蛍光ランプのみを点灯させ、大当たり状態やリーチ状態が発生したとき、複数の蛍光ランプを点灯させる方法等を挙げることができる。
【００６６】
【発明の実施の形態】
本発明の実施例について図面に基づいて説明する。
図３は、本発明の遊技機の一例を模式的に示す正面図である。
なお、以下において説明する実施例においては、本発明の遊技機の好適な実施例として、本発明をパチンコ遊技装置に適用した場合を示す。
【００６７】
パチンコ遊技装置１０には、本体枠１２と、本体枠１２に組み込まれた遊技盤１４と、遊技盤１４の前面に設けられた本体枠１２の窓枠１６と、窓枠１６に嵌め込まれたガラス製の窓部１５と、窓枠１６の下側で本体枠１２の前面に設けられた上皿２０及び下皿２２と、下皿２２の右側に設けられた発射ハンドル２６と、が配置されている。
【００６８】
窓部１５の表面の略中央部分には、アクティブマトリックス駆動方式の液晶パネル３２が設けられ、さらに、窓部１５の表面には、透明引き出し電極１７が形成されており、透明引き出し電極１７の一端は液晶パネル３２の右側に接続され、他端は窓枠１６のヒンジ部（図示せず）へ延設されている。
この液晶パネル３２が、少なくとも複数の変動図柄の変動表示が開始されてから、複数の変動図柄が停止表示されるまでを１回のゲームとする可変表示ゲームを示す画面画像や演出画像等が表示される表示部である。
また、窓枠１６のヒンジ部へ延設された透明引き出し電極１７の他端は、パチンコ遊技装置１０の内部から上記ヒンジ部を介して窓枠１６の内部への導出されたフレキシブルケーブル（図示せず）に接続されている。
【００６９】
また、遊技盤１４の前面には複数の障害釘（図示せず）が打ちこまれている。なお、釘を打ち込むような構成とせず、遊技盤１４を樹脂素材で成形し、この樹脂素材の遊技盤１４に金属製の棒状体を遊技盤１４の前方向に突出するように植設する構成としてもよく、上述したようなパチンコ遊技装置１０（パチコン機）にも本発明を適用することができる。なお、本明細書において、パチンコ遊技装置１０とは、パチコン機をも含む概念である。
【００７０】
さらに、発射ハンドル２６は本体枠１２に対して回動自在に設けられており、遊技者は発射ハンドル２６を操作することによりパチンコ遊技を進めることができるのである。発射ハンドル２６の裏側には、発射モータ２８が設けられている。発射ハンドル２６が遊技者によって時計回り方向へ回動操作されたときには、発射モータ２８に電力が供給され、上皿２０に貯留された遊技球が遊技盤１４に順次発射される。
【００７１】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００７２】
なお、従来のパチンコ遊技装置では、遊技盤の中央部に表示装置が設けられているため、遊技盤の中央部分を遊技球が通過することがないのであるが、上述したように、本発明に係るパチンコ遊技装置１０では、遊技盤１４の前面に配置された窓部１５に、液晶パネル３２が設けられるため、遊技盤１４上において遊技球が落下する経路を広く確保することが可能であり、遊技球の落下方向に多様性を持たせることができる。その結果、より面白みのあるパチンコ遊技を提供することができる。また、窓部に設けられた液晶パネル３２により演出画面や変動図柄が表示されるため、窓を通さず、直接、遊技者の目に近いところで、演出画像等が表示されることになり、遊技者は迫力のある画像を楽しむことができる。
【００７３】
図４は、図３に示すパチンコ遊技装置１０の遊技盤１４を模式的に示す拡大正面図である。なお、上述した図３に示した構成要素と対応する構成要素には同一の符号を付した。また、図４は、上述した窓部１５、及び、遊技盤１４上に設けられた障害釘について省略したものを示した。
【００７４】
遊技盤１４の前面の略中央には、面状光源３３が設けられている。面状光源３３は、液晶パネル３２の裏面へ光を照射するものである。この面状光源３３によって、液晶パネル３２の裏面へ光が照射されることにより、液晶パネル３２において各種の画像が表示されることになるのである。
この面状光源３３は、図２（ｃ）を用いて説明したバックライトとほぼ同様の構成を有するものである。すなわち、この面状光源３３の表面には、粗面が形成されており、液晶パネル３２の裏面へ均一化した光を供給することができる。
なお、この面状光源３３の構成については、既に説明済であるので、ここでの説明は省略する。
【００７５】
なお、上記面状光源としては、特に限定されるものではなく、例えば、冷陰極平板形蛍光ランプや、エレクトロルミネセンス等を挙げることができる。また、アクリル製やポリカーボネート製の導光体を設けるとともに、その側面から光を照射させるようにすることにより、面状光源３３とすることも可能である。
【００７６】
また、面状光源３３の上面には、遊技球の落下経路を変化させ得る透明な球経路３５が設置されており、球通過検出器５５ａ又は５５ｂを通過した遊技球の落下経路を変化させ得るように構成されている。
【００７７】
この面状光源３３の上側には、表示装置５２が設けられている。この表示装置５２は、例えば、７セグメント表示器で構成されており、表示情報である普通図柄が、変動と停止とを繰り返すように可変表示される。面状光源３３の左右の側部には、球通過検出器５５ａ及び５５ｂが設けられている。この球通過検出器５５ａ又は５５ｂは、その近傍を遊技球が通過したことを検出したときには、上述した表示装置５２において、普通図柄の変動表示が開始され、所定の時間経過した後、普通図柄の変動表示を停止する。この普通図柄は、数字や記号等からなる情報であり、例えば、「０」から「９」までの数字や「☆」等の記号である。この普通図柄が所定の図柄、例えば、「７」となって停止して表示されたときには、後述する始動口４４の左右の両側に設けられている可動片５８ａ及び５８ｂを駆動するためのソレノイド５７（図示せず）に電流を供給し、始動口４４に遊技球が入りやすくなるように可動片５８ａ及び５８ｂを駆動し、始動口４４を開放状態となるようにする。なお、始動口４４を開放状態とした後、所定の時間が経過したときには、可動片を駆動し始動口４４を閉鎖状態として、遊技球が入りにくくなるようにするのである。
【００７８】
上述した表示装置５２の左右の両側には４つの保留ランプ３４ａ〜３４ｄが設けられている。さらに、表示装置５２の上部には一般入賞口５０が設けられている。また、遊技盤１４の下部には、遊技球の大入賞口３８が設けられている。この大入賞口３８の近傍には、シャッタ４０が開閉自在に設けられている。シャッタ４０は大当たり状態が発生したときには、断続的に開放状態となるようにソレノイド４８（図示せず）により駆動される。
また、大入賞口３８の下側には、アウト口（図示せず）が設けられており、入賞口等に入らなかった遊技球は、アウト口から排出されることになる。
【００７９】
上述した面状光源３３の左右の両側には一般入賞口５４ａ及び５４ｂが設けられている。さらに、面状光源３３下部の左右の両側には一般入賞口５４ｃ及び５４ｄが設けられている。また、遊技盤１４の左右の端部には、特別入賞口５６ａ及び５６ｂが設けられ、大入賞口３８の左右の両側には、特別入賞口５６ｃ及び５６ｄが設けられている。これらの大入賞口３８、一般入賞口５０及び５４ａ〜５４ｄ、並びに、特別入賞口５６ａ〜５６ｄを遊技球が通過したときには、予め設定されている数の遊技球が下皿２２に払い出される。
【００８０】
また、面状光源３３の下方には、後述する可変表示ゲームが開始されて液晶パネル３２（図示せず）に表示される複数、例えば、３つの識別情報である図柄を変動表示状態に移行する契機となる球検知センサ４２を有する始動口４４が設けられている。
遊技球が通過したことを球検知センサ４２が検知したときには、所定数の遊技球が払い出されるとともに、液晶パネル３２においては、複数の変動図柄が変動表示されて、可変表示ゲームが開始される。
【００８１】
さらにまた、面状光源３３の左右の両側には、遊技球の経路を所定の方向に誘導するための転動誘導部材６０ａ及び６０ｂも設けられている。また、遊技盤１４の外側の上左側と上右側とには装飾ランプ３６ａ及び３６ｂが設けられている。
【００８２】
上述したように、本発明に係るパチンコ遊技装置１０によれば、窓部１５に液晶パネル３２が貼着されており、この液晶パネル３２を表示部とすることができるので、遊技盤１４に表示部が設けられていない遊技機とすることが可能である。従って、遊技球が落下する経路を広く確保することができ、表示装置が遊技盤上に設けられた従来の遊技機と比べて、遊技球の落下経路に多様性を持たせることができ、より面白みがあるパチンコ遊技を提供することができる。また、窓部に設けられた表示部により演出画面や変動図柄が表示されるため、窓を通さず、直接、遊技者の目に近いところで、演出画像等が表示されることになり、遊技者は迫力のある画像を楽しむことができる。
【００８３】
【発明の効果】
本発明の遊技機によれば、遊技盤に表示部を設けずに、遊技球が落下する経路を広く確保することができるため、表示装置が遊技盤上に設けられた従来の遊技機と比べて、遊技球の落下経路に多様性を持たせることができ、より面白みがあるパチンコ遊技を提供することができる。
また、窓部に設けられた表示部に、可変表示ゲームを示す画面画像や演出画像等が表示されるため、窓を通さず、直接、遊技者の目の近いところで、演出画像等が表示され、遊技者は、迫力のある画像を楽しむことができる。
【００８４】
また、窓枠の近傍に設置されたバックライト光源を備えている本発明の遊技機によれば、遊技盤には粗面が形成されているため、バックライト光源から発せられ、遊技盤上で反射した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【００８５】
一方、光が透過可能な材料により構成された遊技盤の裏側に、バックライト光源が設置された本発明の遊技機によれば、遊技盤には粗面が形成されているため、バックライトから発せられ、遊技盤を通過した光を、均一化して表示部に供給することができる。その結果、表示部に表示される各種の画像を明るく鮮明に表示させ、遊技を盛り上げる各種の演出画像や変動図柄等を華やかに見せることが可能であり、遊技者は、演出画像や変動図柄に興味や関心を抱きながら、長時間にわたって遊技を楽しむことができる。
【図面の簡単な説明】
【図１】（ａ）は、窓部に貼着された液晶パネルの一例を模式的に示した断面図であり、（ｂ）は、窓部を構成する２枚の透明板の間に挟持された液晶パネルの一例を模式的に示した断面図であり、（ｃ）は、窓部を構成する２枚の透明板の一部を基板とする液晶パネルを模式的に示す断面図である。
【図２】（ａ）〜（ｃ）は、本発明の遊技機の一例を模式的に示す部分水平断面図である。
【図３】本発明によるパチンコ遊技装置を模式的に示す正面図である。
【図４】図３に示したパチンコ遊技装置の遊技盤面を模式的に示す拡大正面図である。
【符号の説明】
１０、１００　パチンコ遊技装置
１２　本体枠
１４　遊技盤
１５、１１５　窓部
１６　窓枠
１７、１１７　透明引き出し電極
３２　液晶パネル
３３　面状光源
３８　大入賞口
５０、５４ａ〜５４ｄ　一般入賞口
５６ａ〜５６ｄ　特別入賞口
５９（５９ａ〜５９ｂ）　レーザ投影表示装置
１３２ａ、１３２ｂ　液晶シート
２１０　液晶パネル
２１１　窓部
２１９ａ　透明電極
２１９ｂ　透明画素電極
３１０　透明板
３２０　液晶シート
【図１】
2004135794.tif 000003
【図２】
2004135794.tif 000004
【図３】
2004135794.tif 000005
【図４】
2004135794.tif 000006